(57)【要約】【課題】不特定多数の医用機器の通信接続試験を行うことができる医用情報通信試験装置を提供する。【解決手段】本発明の一実施形態に係る医用情報通信試験装置１は、複数の通信設定情報を記憶する設定情報記憶部と、患者情報、検査情報、画像情報の少なくとも１つを含む医用情報を記憶する医用情報記憶部と、複数の通信設定情報の中で使用する通信設定情報を選択する情報選択手段と、医用情報と、情報選択手段により選択された通信設定情報とを用いて、医用機器と医用プロトコルよる通信試験を行う模擬通信試験部と、を有する。【選択図】  図３
2013178644.tif 000002
【特許請求の範囲】
【請求項１】
複数の通信設定情報を記憶する設定情報記憶部と、
患者情報、検査情報、画像情報の少なくとも１つを含む医用情報を記憶する医用情報記憶部と、
複数の通信設定情報の中で使用する通信設定情報を選択する情報選択手段と、
前記医用情報と、前記情報選択手段により選択された通信設定情報とを用いて、前記医用機器と医用プロトコルよる通信試験を行う模擬通信試験部と、
を有することを特徴とする医用情報通信試験装置。
【請求項２】
前記医用情報記憶部は、複数の医用情報を記憶するものであり、
前記情報選択手段は、前記複数の医用情報の中から使用する医用情報を選択するものであることを特徴とする請求項１記載の医用情報通信試験装置。
【請求項３】
前記通信設定情報は、ＡＥタイトル、ＤＩＣＯＭのサービス種の設定値を含む自局の設定値の集合である自局設定情報を含み、
前記情報選択手段は、複数の前記自局設定情報の中から使用する自局設定情報を選択するものであることを特徴とする請求項１または２に記載の医用情報通信試験装置。
【請求項４】
前記通信設定情報は、ＡＥタイトル、ＤＩＣＯＭのサービス種の設定値を含む接続相手局を表す設定値の集合である他局設定情報を含み、
前記情報選択手段は、複数の前記他局設定情報の中から使用する他局設定情報を選択するものであることを特徴とする請求項１乃至３のいずれか１項記載の医用情報通信試験装置。
【請求項５】
前記情報選択手段は、ユーザの識別情報、医用機器の識別情報、通信設定情報の識別情報の少なくとも１つに基づいて、前記通信設定情報を選択するものであることを特徴とする請求項１乃至４のいずれか１項記載の医用情報通信試験装置。
【請求項６】
ネットワークを介して端末装置との通信を行い、操作者のログインを受付処理、前記設定情報記憶部に記憶されている通信設定情報の登録／変更処理を行う端末通信処理部を備えることを特徴とする請求項１乃至５のいずれか１項記載の医用情報通信試験装置。
【発明の詳細な説明】
【技術分野】
【０００１】
本発明の実施形態は、医用機器の通信試験に関する医用情報通信試験装置に関する。
【背景技術】
【０００２】
複数の異なる医用機器間で画像情報等のデータをやりとりする際に、グローバルに定められた所定の医用プロトコルを用い、データ通信を行う方法が近年行われている。医用プロトコルの例として、ＣＴやＭＲＩなどで撮影した医用画像情報を扱う規格であるＤＩＣＯＭ（Digital Imaging Communications and Medicine）、医療文字情報通信を主に扱う規格であるＨＬ７（Health Level Seven）、心電図、脳波、呼吸波形などの医用波形情報通信の規格であるＭＦＥＲ（Medical waveform Format Encoding Rule）等の医用プロトコルが存在する。
【０００３】
しかし、所定の医用プロトコルに従った通信を行っていても、通信が正常に行われない場合がある。例えばＤＩＣＯＭでは、あらかじめ定義された部分と、ユーザ側で自由に定義可能な部分が存在するため、医用機器同士で通信を行う場合にデータの不一致が生じる場合がある。
【０００４】
このような問題を解決するため、事前に医用機器間の通信接続試験を行い、データが正しく通信されているかを確認することが行われている。例えば、医用機器を開発するユーザ、もしくは医用機器が据え付けられているサイトに、接続相手の医用機器を持ち込んで行う通信接続試験や、接続相手の医用機器のテストイベントで行う通信接続試験等が挙げられる。
【先行技術文献】
【特許文献】
【０００５】
【特許文献１】特開２００７−２７５１８３号公報
【発明の概要】
【発明が解決しようとする課題】
【０００６】
しかしながら、事前の通信接続試験で実際の医用機器もしくはそれ相応のシステムを用いると、時間、設備、場所など多くの制約があるため効率的に試験を行うことができなかった。また、例えばＤＩＣＯＭ等所定の医用プロトコルを用いた通信を行う場合、あらかじめ全ての医用機器の情報が決定された特定多数との接続が前提であり、特定の医用機器、または共通の通信設定情報を有する複数の医用機器とで試験を行うのが一般的である。そのため、特定の医用機器の通信設定でしか通信接続試験を行うことができず、不特定多数の医用機器とは通信接続試験を行うことができなかった。仮に他の通信設定値を有する不特定多数の医用機器との接続を行うと、データの識別子が重複したり、医用機器自身の識別子が重複したりして正しく通信を行う事ができなかった。
【０００７】
本発明はこのような点を考慮してなされたもので、不特定多数の医用機器の通信接続試験を行うことができる医用情報通信試験装置を提供することを目的とする。
【課題を解決するための手段】
【０００８】
実施形態の医用情報通信試験装置は、発明の一実施形態に係る医用情報通信試験装置１は、複数の通信設定情報を記憶する設定情報記憶部と、患者情報、検査情報、画像情報の少なくとも１つを含む医用情報を記憶する医用情報記憶部と、複数の通信設定情報の中で使用する通信設定情報を選択する情報選択手段と、医用情報と、情報選択手段により選択された通信設定情報とを用いて、医用機器と医用プロトコルよる通信試験を行う模擬通信試験部と、を有するものである。
【図面の簡単な説明】
【０００９】
【図１】本発明の一実施形態に係る通信試験装置であって、通信試験装置、ユーザ、端末のネットワークシステムを示す構成図。
【図２】通信試験装置に格納される付帯情報の一例を示す図。
【図３】通信接続試験を行う際の通信試験装置の環境とユーザ環境の機能ブロック図。
【図４】医用情報端末の有するデータを通信試験装置に設定して通信接続試験を行う動作を示すフローチャート。
【図５】医用情報記憶部に格納される、自局設定共通テーブルの例を示す図。
【図６】医用情報記憶部に格納される、自局設定ユーザ固有テーブルの例を示す図。
【図７】医用情報記憶部に格納される、相手局設定ユーザ固有テーブルの例を示す図。
【図８】オーダ発行から画像取得までのワークフロー通信試験における動作を示すフローチャート。
【図９】ワークフロー通信試験における、医用機器選択画面の例を示す図。
【図１０】ワークフロー通信試験における、通信設定画面の例を示す図。
【図１１】ワークフロー通信試験における、患者情報取得画面の例を示す図。
【図１２】ワークフロー通信試験における、患者登録画面の例を示す図。
【図１３】ワークフロー通信試験における、画像情報取得画面の例を示す図。
【図１４】ワークフロー通信試験における、画像保存画面の例を示す図。
【発明を実施するための形態】
【００１０】
以下、本発明の実施形態を添付図面に基づいて説明する。
【００１１】
図１は、本発明の一実施形態に係る通信試験装置１であって、通信試験装置１が接続される医用機器通信試験システム１００の概略構成を示すブロック図である。医用機器通信試験システム１００は、通信試験装置１、複数のユーザ２０（２０Ａ、２０Ｂ・・・）が有する各医用機器２（２ａ、２ｂ・・・）、端末４を含み、それぞれネットワーク通信を介して相互に通信可能に接続される。
【００１２】
医用機器２は、それぞれベンダーであるユーザ２０が保有する医用機器であり、例えば、ＭＲＩ（Magnetic Resonance Imaging）装置やＸ線ＣＴ（Computed Tomography）装置、超音波画像診断装置、核医学診断装置、ＰＥＴ装置、ＰＥＴ−ＣＴ装置など患者の医用画像の撮影を行う画像診断装置、またはＨＩＳ（Hospital Information System）、ＲＩＳ（Radiology Information System）、ＰＡＣＳ（Picture Archiving and Communication System）といった医用情報システムなどの装置である。なお、医用機器２は、実際の医用画像診断装置を用いずともこれらの装置のシミュレータで置き換えられてもよい。
【００１３】
医用機器２は、他の医用装置と医用機器情報通信を行うことができる。医療機器情報通信とは、ネットワークで接続された医療機器間で、患者の医療情報のメッセージ通信を行うことである。メッセージ通信は、ＬＡＮ、ＷＡＮ、インターネット等の有線あるいは無線のネットワーク回線を介して行われる。医用機器情報通信では、医用画像情報を主に扱うＤＩＣＯＭ、医療文字情報を主に扱うＨＬ７、医療波形情報を主に扱うＭＦＥＲなどの医療情報の通信に特化したプロトコルが用いられている。
【００１４】
図２は、通信試験装置１に記憶される付帯情報の一例を示す説明図である。
【００１５】
図２に示すように、付帯情報は、ユーザ情報（ユーザＩＤ）、患者情報、検査情報、画像情報が階層的に保持された情報である。例として、ユーザＩＤ「user001」、「user002」が有する付帯情報を図２に示した。患者情報は、患者ＩＤ、患者名、生年月日、性別等の情報を含む。検査情報は、複数の検査ＩＤと検査内容、所見等の情報を含む。画像情報は、図示しない画像診断装置で撮影した画像を識別する画像ＩＤと、対応する画像データを含む。
【００１６】
端末４は、主にパーソナルコンピュータまたはワークステーションをベースとして構成され、ネットワーク回線を介して、通信試験装置１へのログイン操作や、通信試験装置１に対する通信設定情報の選択操作などの、通信試験装置１で医用機器２の通信試験を行うために必要な操作をユーザが行うためのものである。詳細は後述する。
【００１７】
通信試験装置１は医用機器を製造するメーカー側に備えており、医用機器２や端末４とは異なる場所にある。通信試験装置１は、医用機器２と医用機器情報通信による通信接続試験を行うためのものであり、画像診断装置（ＣＴまたはＭＲＩ）に相当する医用機器情報通信機能、医用情報システム（ＨＩＳ、ＲＩＳ、またはＰＡＣＳ）に相当する医用機器情報通信機能を擬似的に実施可能に構成されている。
【００１８】
通信試験装置１は、ネットワーク回線による通信が可能なコンピュータで構成され、制御部１０、医用情報記憶部１１、表示部１２、操作部１３、通信部１５、記憶部１６、情報記憶媒体１７などを備えている。表示部１２はモニタ等の表示装置である。操作部１３はキーボードやマウス等であり、データの入力を行うためのものである。
【００１９】
記憶部１６は、制御部１０や通信部１５などのワーク領域となるもので、ＲＡＭ（Random Access Memory）などにより実現できる。情報記憶媒体１７（コンピュータにより読み取り可能な媒体）は、プログラムやデータなどを格納するものであり、ハードディスク、或いはメモリ（Flash Memory、ＲＯＭ：Read Only Memory）などにより実現できる。情報記憶媒体１７には、本実施形態の各部としてコンピュータを機能させるためのプログラム（各部の処理をコンピュータに実行させるためのプログラム）、複数のアプリケーション等が記憶される。
【００２０】
通信部１５は、端末４および医用機器２ａ、２ｂ…とネットワークを介して相互に通信可能に接続される。また通信部１５は、各医用機器２とネットワーク接続が確立された上で、例えばＤＩＣＯＭ通信等といった所定の医用プロトコルを用い、各医用機器２と通信を行う。詳細は後述する。本実施形態では、医用プロトコルにＤＩＣＯＭ通信を用いるとして以下説明する。
【００２１】
医用情報記憶部１１は、端末４から通信部１５を介して受信された各ユーザの通信設定情報、および各医用機器２の付帯情報を格納する。詳細は後述する。
【００２２】
制御部１０は、全体の制御を行うとともに、その他の様々な演算処理や制御処理などを行う演算装置である。制御部１０の機能は各種プロセッサ（ＣＰＵ、ＤＳＰ等）、ＡＳＩＣ（ゲートアレイ等）などのハードウェアや、プログラムにより実現できる。制御部１０は、情報記憶媒体１７に格納されるプログラム（データ）に基づいて本実施形態の種々の処理を行う。
【００２３】
図３に、通信接続試験を行う際の通信試験装置１の環境とユーザ環境の機能ブロック図を示す。ユーザ環境には、医療機器情報通信要求手段４１と、医療機器情報通信手段２１が含まれる。医療機器情報通信要求手段４１は、端末４に含まれる機能であり、任意のユーザについて通信試験装置１に対し接続要求を行う。医用機器情報通信手段２１は、医用機器２に含まれる通信機能であり、接続中の医用機器２の通信設定情報に基づき、通信試験装置１とのＤＩＣＯＭ通信を行う。
【００２４】
通信試験装置１の環境には、医療機器情報通信受付手段５１、医療機器情報模擬通信手段５２、医療機器情報通信設定手段１０１、ユーザ使用状況管理手段１０２、医療機器情報通信作用手段１０３、医療機器情報記憶手段１１０が含まれる。
【００２５】
医療機器情報通信受付手段５１は、通信部１５に含まれる機能であり、医療機器情報通信要求手段４１からの接続要求を受信して端末４との接続を開始する。
【００２６】
医療機器情報通信設定手段１０１、ユーザ使用状況管理手段１０２、医療機器情報通信作用手段１０３は制御部１０に含まれる機能である。医療機器情報通信設定手段１０１は、医療機器情報通信受付手段５１で接続要求を受信した当該ユーザの通信設定情報に基づき、通信設定を行う。ユーザ使用状況管理手段１０２は、医療機器情報通信要求手段４１から接続を要求されたユーザを認証し、ユーザの管理を行う。医療機器情報通信作用手段１０３は、医療機器情報通信受付手段５１で接続要求を受信したユーザの通信設定情報に基づき、通信試験装置１と医用機器２との通信を制御する。
【００２７】
医療機器情報模擬通信手段５２は、通信部１５に含まれる機能であり、医療機器情報通信設定手段１０１で設定した通信設定に基づき、医用機器２へＤＩＣＯＭ通信を行う。医療機器情報記憶手段１１０は、医用情報記憶部１１に含まれる機能であり、ユーザが保有する各医用機器２の通信設定情報および付帯情報を格納する。
【００２８】
＜通信情報設定および通信接続試験＞
次に、上記構成における通信試験装置１の動作について、図４のフローチャートを参照して説明する。なお、図４で通信試験装置１は、ユーザ２０Ａが有する医用機器２ａとＤＩＣＯＭ通信を用いた通信接続試験を行うものとする。
【００２９】
通信試験装置１の医療機器情報記憶手段１１０には、あらかじめ端末４から送信された通信設定情報および付帯情報が、ユーザ毎に格納されている。
【００３０】
端末４の画面にはＷｅｂブラウザが表示され、通信試験装置１へのログイン画面が表示されている。ユーザ２０Ａの操作者は端末４にユーザ識別ＩＤ「user001」、パスワード等接続に必要な情報を入力する。端末４内の医療機器情報通信要求手段４１は、この入力された情報により通信試験装置１にユーザ識別ＩＤ「user001」の接続を要求する（ステップＳ１０１）。通信試験装置１内の医療機器情報通信受付手段５１は、インターネットを介してステップＳ１０１における端末４からの接続要求を受け付ける（ステップＳ１０３）。ユーザ使用状況管理手段１０２は、接続要求されたユーザのユーザ識別ＩＤ「user001」の認証を行って、端末４との接続を確立する（ステップＳ１０５）。
【００３１】
次に医療機器情報通信設定手段１０１は、医療機器情報記憶手段１１０に格納されている医用機器２ａにおけるＤＩＣＯＭ通信の通信設定情報を呼出し（ステップＳ１０７）、通信試験装置１に設定する（ステップＳ１１１）。
【００３２】
次に医療機器情報通信作用手段１０３は、ステップＳ１１１で設定した医用機器２ａにおけるＤＩＣＯＭ通信の通信設定情報に基づき、医療機器情報模擬通信手段５２を介して医用機器２ａの医療機器情報通信手段２１とのＤＩＣＯＭ通信を確立する（ステップＳ１１３）。
【００３３】
次に通信試験装置１は、医用機器２ａとＤＩＣＯＭ通信が正しく行われるかの通信接続試験を行う（ステップＳ１１５）。例えば、端末４から任意の患者ＩＤが送信されて対応する画像情報を要求されると、通信試験装置１内の医療機器情報通信受付手段５１はこれを受信する。次に医療機器情報通信設定手段１０１は、医療機器情報記憶手段１１０から呼び出した、ユーザ２０Ａにおける当該患者ＩＤに対応する画像情報を呼び出す。次に医療機器情報通信作用手段１０３は、医療機器情報模擬通信手段５２を介して、医用機器２ａに当該患者ＩＤに対応する画像データをＤＩＣＯＭ通信で送信する。医用機器２ａの医療機器情報通信手段２１は、当該患者ＩＤに対応する画像情報を受信すると、通信試験装置１に受信通知を送信する。
【００３４】
ステップＳ１１５の通信接続試験が終了すると、通信試験装置１の医療機器情報模擬通信手段５２は、医用機器２ａの医療機器情報通信手段２１とのＤＩＣＯＭ通信を終了する（ステップＳ１１７）。端末４を操作するユーザ２０Ａの操作者は、ログアウトして通信試験装置１との接続を終了する（ステップＳ１１９）。
【００３５】
なお、医療機器情報記憶手段１１０に通信設定情報をユーザ毎に格納することによりユーザに応じて通信設定情報を選択して切り換えてもよいし、更にモダリティ毎に通信設定情報を分けて格納することによりモダリティに応じて通信設定情報を選択して切り換えてもよい。また、１人のユーザに対して複数の通信設定情報を格納しておき、ユーザが使用する通信設定情報を選択して、通信試験に使用する通信設定情報を切り換えるようにしても良い。
【００３６】
図５、６、７に、医療機器情報記憶手段１１０に格納される、各医用機器２ａ、２ｂ・・・との通信接続試験を行うためのＤＩＣＯＭ通信における通信設定情報の一例を示す。通信接続試験を行うに当たって、通信試験装置１はＭＲＩ等のモダリティの役割を行うため、通信試験装置１が所定のモダリティの場合に行う通信を図５、図６に示すように設定し、医療機器情報記憶手段１１０に格納している。また、医用機器２はＲＩＳやＰＡＣＳ等の医用情報システム装置またはそのシミュレータであるため、各医用情報システム装置の場合についての通信を図７に示すように設定し、医療機器情報記憶手段１１０に格納している。
【００３７】
図５は自局設定共通テーブルであり、通信試験装置１側の設定における、ユーザに関係しない共通の通信設定情報である。図６は自局設定ユーザ固有テーブルであり、通信試験装置１側の設定における、各ユーザ固有の通信設定情報である。自局設定共通テーブルおよび自局設定ユーザ固有テーブルには、ユーザ、ホスト名、IPアドレス、AEタイトル、ポート番号、サービス種が含まれる。「ユーザ」はユーザの識別ＩＤを格納している。自局設定共通テーブルでは、ユーザに関係しない通信設定情報を格納しているため、「ユーザ」欄に特定のユーザ識別ＩＤが記載されていないが、自局設定ユーザ固有テーブルではユーザ固有の通信設定情報を格納しているため、ユーザ別の通信設定情報を格納している。「ホスト名」はモダリティを識別するＩＤを格納する。例えば、「MR_A」とは、モダリティ「ＭＲＩ」の「Ａ」というＩＤをもつ機器を示す。「AEタイトル」は、医用機器２ａ、２ｂ・・・とのＤＩＣＯＭ通信を行う際に、特定のモダリティ等医用機器の識別をする固有のＩＤである。自局設定共通テーブルにおいてAEタイトルはホスト名と一致している。自局設定ユーザ固有テーブルにおけるAEタイトルは、ユーザ毎に通信設定情報を区別する必要があるため、例えば「MR_A」の後にユーザを識別する番号（例えば「001」、「002」等）を付与している。「サービス種」は、ＤＩＣＯＭ通信における通信サービスの種類を示しており、例えば「Storage SCU」は、利用者側に画像を送信すること、「MWM SCU」は利用者側に情報を照会すること、「Storage SCP」は、提供者側に画像を送信することをいう。
【００３８】
図７は相手局設定ユーザ固有テーブルであり、通信を行う相手である医用機器２ａ、２ｂ・・を識別するための通信設定情報である。相手局設定ユーザ固有テーブルには、自局設定共通テーブルおよび自局設定ユーザ固有テーブルと同様、ユーザ、ホスト名、IPアドレス、AEタイトル、ポート番号、サービス種が含まれる。相手局設定ユーザ固有テーブルでの「ホスト名」は、ＲＩＳやＰＡＣＳ等の医用情報システムであり、「AEタイトル」は、通信試験装置１とのＤＩＣＯＭ通信を行う際に、特定のＲＩＳやＰＡＣＳ等の識別をする固有のＩＤである。本実施形態では、医用情報システムの機器は各種１つずつとし、ホスト名とAEタイトルが一致している。「ホスト名」、「AEタイトル」以外の項目は、自局設定共通テーブルおよび自局設定ユーザ固有テーブルと同様である。
【００３９】
図５−７から明らかなように、通信試験装置１は、ユーザＩＤに応じて、またはモダリティに応じて、または１つのユーザＩＤに関連付けられた複数の通信設定情報のうちの１つをユーザにより選択されて、通信試験に使用する通信設定情報を切り換える。このとき、あらかじめ通信設定情報のそれぞれに対して識別情報（ＩＤ）を付しておき、この識別情報にもとづいて通信設定情報を切り換えてもよい。
【００４０】
このため、本実施形態に係る通信試験装置１は、たとえばユーザＩＤに応じて通信設定情報を切り換える場合、異なるユーザＩＤで識別されるユーザ同士が同一の患者ＩＤ「00001」をあつかっても、重複を起こすことなく容易かつ的確に同一の患者ＩＤ「00001」のデータをユーザＩＤごとに識別することができる。
【００４１】
＜ワークフロー試験＞
放射線科の技師がこの通信試験装置１を用いてオーダ発行から画像取得までのワークフロー試験を行う手順について、図８のフローチャート、および図９〜図１４の画面表示例を参照して説明する。なお図９〜図１４は、端末４の画面に表示される各種設定項目の入力画面である。画面左上には通信接続試験を行うユーザ識別ＩＤとモダリティ名、画面左下には設定画面のメニュー項目、画面右側には入力中の設定画面を表示する。
【００４２】
技師は、端末４を操作して通信試験装置１に対しユーザ識別ＩＤ「user001」でログイン動作を行い、認証を得る（ステップＳ２０１）。端末４には、図９に示す医用機器選択画面が表示される。技師は図９の医用機器選択画面から、通信接続試験を行うモダリティを選択する（ステップＳ２０３）。図９で技師がＭＲＩとの通信接続試験を行うべく、画面右側で「ＭＲ」を選択すると、画面左上の「Modality」欄に「ＭＲ」と入力される。
【００４３】
次に技師が、画面左下のメニュー項目から接続設定を選択すると、図１０の接続設定画面が端末４に表示される。技師は、通信試験装置１に接続する医用機器２の設定を入力する（ステップＳ２０５）。図１０の例では、医用機器２が「ＲＩＳ」の場合で、「Storage」サービスを行う際のIPアドレス「***.***.***.100」、ポート番号「1000」を入力する。入力した設定値は、「Save」ボタンを押下することで医療機器情報記憶手段１１０に格納される。
【００４４】
次に、技師は患者情報を登録する（ステップＳ２０７）。例えば、ネットワーク上に接続されているＲＩＳで事前に登録している患者情報を取得する場合、技師がメニュー項目から患者情報の取得設定を選択すると、図１１の患者情報取得画面が端末４に表示される。技師がSCP AE Title欄で「ＲＩＳ」を選択し、「Patient ID」、「Patient name」、「Gender」、あるいは「Examination date」のいずれかひとつを検索条件として入力して「Query」ボタンを押下すると、ＲＩＳのデータから検索条件に合致する患者情報の検索を行い、検索結果が画面下部に表示する。技師が検索結果から該当する患者情報を選択して「Register」ボタンを押下すると、当該患者情報は医療機器情報記憶手段１１０に格納される。なお、患者情報を選択して「Detail」ボタンを押下すると、その患者情報の詳細が表示される。
【００４５】
ＲＩＳに登録されていない患者情報を用いる場合、技師がメニュー項目から患者情報の任意登録を選択すると、図１２の患者情報登録画面が端末４に表示される。「Patient ID」、「Patient name」、「Gender」、「Examination date」を入力して「Register」ボタンを押下すると、患者情報として医療機器情報記憶手段１１０に格納され、画面下部に登録情報が表示される。
【００４６】
次に技師がメニュー項目から画像収集を選択すると、図１３の画像収集画面が端末４に表示される。ステップＳ２０７で登録した患者情報が画面上部に表示され、「Select」ボタンで任意の患者情報を選択すると、当該患者ＩＤに対応し、医療機器情報記憶手段１１０に格納される複数の画像情報が呼び出され、Image欄に表示される。通信接続試験の場合、Image欄に表示される画像情報は、通信試験装置１の医療機器情報記憶手段１１０に格納されるダミー画像であってもよい。技師がImage欄下部の「Scan」ボタンを押下すると、選択した患者情報とImage欄に表示された画像とが対応付けられる（ステップＳ２０９）。
【００４７】
最後にメニュー項目から画像保存が選択されると、図１４の画像保存画面が端末４に表示される。技師が「Patient」、「Study」、「Series」、「Image」の欄のどれかひとつに表示されている項目を選択し、SCP AE Titleで「Server」を選択して「Send」ボタンを押下すると、ステップＳ２０９で任意の患者情報に対応付けられた画像情報について、通信試験装置１から医用機器２側へ送信を行い、画像を医用機器２に保存する（ステップＳ２１１）。
【００４８】
ステップＳ２１１で画像を医用機器２に保存したら、端末４は通信試験装置１との接続を終了しログアウトする（ステップＳ２１３）。
【００４９】
以上説明した実施例によれば、医用機器の通信試験を行う際、当該医用機器の所定の医用プロトコルに基づく通信設定情報および当該医用機器の付帯情報を、事前に通信試験装置１に送信しユーザ毎に記憶させておき、医用機器は、自身の通信設定情報に基づいて、通信試験装置１と所定の医用プロトコルで通信を行う。よって、不特定多数の医用機器の通信接続試験を行う場合にも、通信設定と通信を制御することにより、通信設定情報や付帯情報の重複を防ぐことができる。
【００５０】
また、本実施形態に係る通信試験装置１によれば、接続試験環境に実際の医療機器を配置せずとも、各ユーザの所有する医用機器の通信試験を行うことができる。このため、ユーザは自らの都合のいいタイミングで自身の所有する医用機器の通信試験を行うことができ、非常に利便性が高い。
【００５１】
なお、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５２】
１…通信試験装置、２ａ、２ｂ…医用機器、２０Ａ、２０Ｂ…ユーザ、４…端末、１０…制御部、１１…医用情報記憶部、１２…表示部、１３…操作部、１５…通信部、１６…記憶部、１７…情報記憶媒体、１００…医用機器通信試験システム、２１…医療機器情報通信手段、４１…医療機器情報通信要求手段、５１…医療機器情報通信受付手段、５２…医療機器情報模擬通信手段、１０１…医療機器情報通信設定手段、１０２…ユーザ使用状況管理手段、１０３…医療機器情報通信作用手段、１１０…医療機器情報記憶手段。
【図１】
2013178644.tif 000003
【図２】
2013178644.tif 000004
【図３】
2013178644.tif 000005
【図４】
2013178644.tif 000006
【図５】
2013178644.tif 000007
【図６】
2013178644.tif 000008
【図７】
2013178644.tif 000009
【図８】
2013178644.tif 000010
【図９】
2013178644.tif 000011
【図１０】
2013178644.tif 000012
【図１１】
2013178644.tif 000013
【図１２】
2013178644.tif 000014
【図１３】
2013178644.tif 000015
【図１４】
2013178644.tif 000016